(57)【特許請求の範囲】
【請求項１】
第１の光量を使用最大光量とし第１の光を出射する第１の光源と、
前記第1の光量よりも高い第２の光量を使用最大光量とし第２の光を出射する第２の光源と、
前記第1の光の光路上に設けられ、入射される前記第1の光の光量を検知する第１の光量検出部と、
前記第１の光量検出部の検出レンジと同一の検出レンジを有し、前記第2の光の光路上に設けられ、入射される前記第2の光の光量を検知する第２の光量検出部と、
前記第1の光源および前記第2の光源から前記第1の光量の光および前記第2の光量の光が出射された場合に、前記第1の光量検出部と前記第2の光量検出部とにおいて検出される光量を前記検出レンジ内の所定値に一致させるために、前記第2の光量検出部に入射される光の光量を制限する光量制限手段と、
前記第１及び第２の光量検出部の検出結果に基づいて、前記第１の光源及び前記第２の光源の光出射量を制御する制御部と、
を具備したことを特徴とする光源装置。
【請求項２】
前記光量制限手段は、基準光量に対する前記第１の光源の光出射量の比率である第１の発光比率と前記第１の光量検出部の分光感度特性との関係、及び前記基準光量に対する第２の光源の光出射量の比率である第２の発光比率と前記第２の光量検出部の分光感度特性との関係に基づいて光の減衰率が決定される
ことを特徴とする請求項１に記載の光源装置。
【請求項３】
前記光量制限手段は、減光フィルタによって構成されることを特徴とする請求項１に記載の光源装置。
【請求項４】
前記光量制限手段は、前記第２の光量検出部に検出対象の色の光のみを通過させる波長フィルタを含む
ことを特徴とする請求項３に記載の光源装置。
【請求項５】
前記光量制限手段は、前記発光比率に基づいた大きさの開口が形成されたスリットによって構成される
ことを特徴とする請求項２に記載の光源装置。
【請求項６】
前記光量制限手段は、前記第２の光量検出部に検出対象の光を伝達するものであって、前記第１の部分および前記第２の光源から前記第１の光量の光および前記第２の光量の光が出射された場合に、前記第１の光量検出部と前記第２の光量検出部とにおいて検出される光量を前記検出レンジ内の所定値に一致させるために、光の伝達特性が調整された導光部材によって構成される
ことを特徴とする請求項１に記載の光源装置。
【請求項７】
前記導光部材はライトガイドファイバであり、該ライトガイドファイバは、前記光の伝達特性として径および長さの少なくとも一方が調整されている
ことを特徴とする請求項６に記載の光源装置。
【請求項８】
前記第１及び第２の光量検出部は、複数の光の光量を検出可能なカラーセンサによって構成される
ことを特徴とする請求項１に記載の光源装置。
【請求項９】
前記制御部は、前記第1の光量検出部及び前記光量制限手段によって光量が制限された第２の光量検出部の検出結果に基づいて、前記第１の光源及び前記第２の光源の光出射量を制御することを特徴とする請求項１に記載の光源装置。
【発明の詳細な説明】
【技術分野】
【０００１】
本発明は、内視鏡に好適な光源装置に関する。
【背景技術】
【０００２】
従来より、体腔内等へ細長の内視鏡を挿入して被検部位の観察や各種処置を行うようにした内視鏡が広く用いられている。このような内視鏡においては、腔内の撮影を行うために光源装置が採用される。近年、発光部としてＬＥＤ等の半導体光源を採用した光源装置が用いられることがある。このような光源装置は、駆動パルスのデューティ比を変化させるＰＷＭ制御やＬＥＤ電流を変化させる電流制御によって、ＬＥＤを調光制御することができる。【０００３】
このようなＬＥＤ光源を利用した照明装置として、特開２００９−１９２７７２号公報に開示された装置がある。特開２００９−１９２７７２号公報の装置は、赤色光を発生するＬＥＤ、緑色光を発生するＬＥＤ及び青色光を発生するＬＥＤからの光を合成して照明光を得るようになっており、各色のＬＥＤの発光量を夫々検出する光センサを設けて、各光センサで検出された光量と光量目標値との差が小さくなるように、各ＬＥＤに供給する駆動電流を制御するものである。これにより、特開２００９−１９２７７２号公報の装置では、所望の色バランスの照明光を得ることができる。【０００４】
しかしながら、各ＬＥＤは、発生する光の色によって特性が異なり、例えば、各色のＬＥＤ毎に最大出射光量は相違する。また、色バランスの設定によっても、各色のＬＥＤの使用最大光量が異なる。即ち、各光センサの入射光量は各色のＬＥＤ毎に相互に相違する。これに対し、ダイナミックレンジが共通の同一特性の光センサを用いた場合、各光センサは入射光量の検出に利用可能な分解能が異なってしまう。各光センサにおいては、使用最大光量が最も大きいＬＥＤの出射光量に合わせて、検出可能な入射光量の最大値を設定する必要があり、使用最大光量が比較的小さいＬＥＤからの光を検出する光センサについては分解能が低く、十分な精度での光量検出ができないという問題があった。【０００５】
本発明は、ダイナミックレンジが共通の同一特性の光センサを用いた場合でも、高精度に各色光の光量を検出することができる光源装置を提供することを目的とする。
【発明の開示】
【課題を解決するための手段】
【０００６】
本発明に係る光源装置は、第１の光量を使用最大光量とし第１の光を出射する第１の光源と、前記第1の光量よりも高い第２の光量を使用最大光量とし第２の光を出射する第２の光源と、前記第1の光の光路上に設けられ、入射される前記第1の光の光量を検知する第１の光量検出部と、前記第１の光量検出部の検出レンジと同一の検出レンジを有し、前記第2の光の光路上に設けられ、入射される前記第2の光の光量を検知する第２の光量検出部と、前記第1の光源および前記第2の光源から前記第1の光量の光および前記第2の光量の光が出射された場合に、前記第1の光量検出部と前記第2の光量検出部とにおいて検出される光量を前記検出レンジ内の所定値に一致させるために、前記第2の光量検出部に入射される光の光量を制限する光量制限手段と、前記第１及び第２の光量検出部の検出結果に基づいて、前記第１の光源及び前記第２の光源の光出射量を制御する制御部と、を具備する。
【図面の簡単な説明】
【０００８】
【図１】本発明の第１の実施の形態に係る光源装置を示すブロック図。
【図２】横軸に波長をとり縦軸に発光量をとって、内視鏡の所定の観察モードに適した照明光を得るために必要な各ＬＥＤの発光量の一例を示すグラフ。
【図３】横軸に波長をとり縦軸に相対感度をとって、光センサ４２ｃ〜４４ｃの分光感度特性を示すグラフ。
【図４Ａ】各ＬＥＤ４２〜４４の出射光がそれぞれ光センサ４２ｃ〜４４ｃに入射する様子を模式的に示す説明図。
【図４Ｂ】各ＬＥＤ４２〜４４の出射光がそれぞれ光センサ４２ｃ〜４４ｃに入射する様子を模式的に示す説明図。
【図５】変形例を説明するための説明図。
【図６】変形例を説明するための説明図。
【図７】変形例を説明するための説明図。
【図８】本発明の第２の実施の形態を説明するための説明図。
【図９】本発明の第３の実施の形態を説明するための説明図。
【図１０】本発明の第４の実施の形態を説明するための説明図。
【発明を実施するための最良の形態】
【０００９】
以下、図面を参照して本発明の実施の形態について詳細に説明する。【００１０】
（第１の実施の形態）
図１は本発明の第１の実施の形態に係る光源装置を示すブロック図である。本実施の形態は、光源装置を内視鏡、ビデオプロセッサ及びモニタを有する内視鏡システムに適用したものである。【００１１】
内視鏡システム１は、内視鏡１０、ビデオプロセッサ２０、モニタ３０及び光源装置４０によって構成される。内視鏡１０は、先端側に、管腔内等に挿入可能な細長の挿入部１１を有しており、基端側は、コネクタ１２によって光源装置４０に着脱自在に接続されるようになっている。【００１２】
また、内視鏡１０はケーブル１７及びコネクタ１８によってビデオプロセッサ２０に着脱自在に接続されるようになっている。このように、光源装置４０及びビデオプロセッサ２０には、異なる種別の内視鏡を装着することができるようになっている。【００１３】
挿入部１１の先端には、管腔内等の被写体の映像を撮像するための撮像素子１３及び光源装置４０からの光を被写体に照射するためのレンズ１４が配設されている。レンズ１４によって、光源装置４０からライトガイド１５を介して伝送された照明光が被写体に照射される。撮像素子１３は、ＣＣＤやＣＭＯＳセンサ等によって構成されており、被写体からの戻り光が撮像面に入射され、入射した被写体光学像を光電変換し、蓄積した電荷に基づく撮像出力を順次出力する。【００１４】
撮像素子１３は、ビデオプロセッサ２０から同期信号を含む駆動信号が供給されて動作し、撮像出力を信号線１６を介してビデオプロセッサ２０に供給する。【００１５】
ビデオプロセッサ２０は、撮像出力に対して所定の信号処理を施してモニタ３０に表示可能な映像信号を生成する。ビデオプロセッサ２０からの映像信号は、ケーブル２１を介してモニタ３０に供給される。こうして、モニタ３０の表示画面上において、撮像出力に基づく内視鏡画像が表示可能である。【００１６】
また、ビデオプロセッサ２０は、撮像画像の明るさが目標の明るさとなるように、光源装置４０を制御することができるようになっている。ビデオプロセッサ２０は、撮像画像の明るさを目標明るさに調整するための情報を明るさ制御情報として光源装置４０に出力するようになっている。明るさ制御情報はケーブル２２を介して光源装置４０の制御部４１に供給される。【００１７】
光源装置４０は、赤色光を発生するＬＥＤ（Ｒ−ＬＥＤ）４２、緑色光を発生するＬＥＤ（Ｇ−ＬＥＤ）４３及び青色光を発生するＬＥＤ（Ｂ−ＬＥＤ）４４を有している。なお、本実施の形態においては、３色の光を発生するＬＥＤを採用する例について説明するが、色の種類及び色数は本実施の形態に限定されるものではない。本実施の形態では、複数種類のＬＥＤを用いればよく、例えば図１に紫色（バイオレット）や琥珀色（アンバー）光を発生するＬＥＤを追加してもよい。【００１８】
各ＬＥＤ４２〜４４の出射光の光軸上にはそれぞれレンズ４２ａ〜４４ａが配置されている。各レンズ４２ａ〜４４ａは、それぞれＬＥＤ４２〜４４の出射光を略平行光に変換して出射する。Ｒ−ＬＥＤ４２からの光を出射するレンズ４２ａの光軸上には、光路部を構成するダイクロイックフィルタ４７，４８が配置されている。ダイクロイックフィルタ４７には、レンズ４３ａを介してＧ−ＬＥＤ４３からの光も入射される。また、ダイクロイックフィルタ４８には、レンズ４４ａを介してＢ−ＬＥＤ４４からの光も入射される。【００１９】
ダイクロイックフィルタ４７は、Ｇ−ＬＥＤ４３からの光を反射して、Ｒ−ＬＥＤ４２からの光を透過させる。ダイクロイックフィルタ４８は、Ｂ−ＬＥＤ４４からの光を反射して、ダイクロイックフィルタ４７の透過光を透過させる。こうして、ＬＥＤ４２〜４４の光がダイクロイックフィルタ４７，４８によって合成される。ダイクロイックフィルタ４８からの合成光は、レンズ５０を介してライトガイド１５に入射するようになっている。なお、ダイクロイックフィルタ４７，４８の特性を適宜設定することによって、ＬＥＤ４２〜４４の配置順を変更することも可能であるが、ＬＥＤ４２〜４４を出射光の波長帯域順に配置した方がダイクロイックフィルタの特性の設定が容易である。【００２０】
各ＬＥＤ４２〜４４は、ＬＥＤ駆動部４６によって駆動されて点灯する。ＬＥＤ駆動部４６は、制御部４１に制御されて、各ＬＥＤを駆動するための駆動信号であるＰＷＭパルスを発生するようになっている。なお、各ＬＥＤ４２〜４４は、ＬＥＤ駆動部４６からのＰＷＭパルスのデューティ比及び電流量に応じた発光量で発光するようになっている。制御部４１は、各ＬＥＤ４２〜４４を制御するための調光情報をＬＥＤ駆動部４６に出力することで、ＰＷＭパルスのデューティ比及び電流レベルを制御して、各ＬＥＤ４２〜４４を調光制御する。【００２１】
制御部４１は、各ＬＥＤ４２〜４４の発光量が、所定のカラーバランスを維持できるように、調光情報を発生する。各ＬＥＤ４２〜４４のカラーバランスは、内視鏡１０の分光感度特性によって決定する必要がある。光源装置４０のメモリ部５３には、内視鏡１０の分光感度特性に応じて各ＬＥＤ４２〜４４に発生させる光量比の情報が格納されている。制御部４１は、メモリ部５３に記憶された光量比の情報に基づいて各ＬＥＤ４２〜４４を制御するための制御情報をＬＥＤ駆動部４６に出力するようになっている。【００２２】
なお、メモリ部５３には、最適なカラーバランスを得るための各ＬＥＤの光量比の情報が記憶されているものとして説明したが、内視鏡１０をビデオプロセッサ２０や光源装置４０に装着することによって、内視鏡１０からこの光量比に関する情報を読み出して制御部４１に設定するようにしてもよい。【００２３】
しかしながら、ＬＥＤは温度特性を有し、同一ＬＥＤ電流値であっても温度によって光量が変化する。ＬＥＤは、発光に伴って温度上昇する特性を有しているので、照明光量を正確に制御するためには、温度特性を考慮する必要がある。しかも、各色のＬＥＤ毎に温度特性が異なることから、各ＬＥＤ毎に温度を測定する必要がある。しかし、光源装置４０内ではＬＥＤ４２〜４４は比較的近接配置されており、各ＬＥＤ単体による温度変化を計測することは困難である。そこで、本実施の形態においては、各ＬＥＤの光量を測定して求めることで、電流値を制御するようになっている。【００２４】
この場合において、本実施の形態においては、各光センサとしてダイナミックレンジが共通の同一特性の光センサを用いる。この場合でも、各光センサに入射する光の入射光量が相互に略等しくなるように、入射光量制御を行うことで、各光センサの分解能を向上させるようになっている。【００２５】
各ＬＥＤ４２〜４４のそれぞれの近傍には各ＬＥＤ４２からの光の量を検出するための光センサ４２ｃ〜４４ｃが配設されている。光センサ４２ｃ〜４４ｃは、ＬＥＤ４２〜４４の出射光の波長帯域で十分な感度を有する。光センサ４２ｃ〜４４ｃは、入射光強度に比例した出力信号を生成。光センサ ４２ｃ〜４４ｃの出力信号は制御部４１に供給されるようになっている。【００２６】
本実施の形態においては、ＬＥＤ４２と光センサ４２ｃとの間には、光量制限部材４２ｂが配置され、ＬＥＤ４３と光センサ４３ｃとの間には、光量制限部材４３ｂが配置され、ＬＥＤ４４と光センサ４４ｃとの間には、光量制限部材４４ｂが配置されている。【００２７】
光量制限部材４２ｂ〜４４ｂは、それぞれＬＥＤ４２〜４４の出射光の光量を調整して光センサ４２ｃ〜４４ｃに入射させることができるようになっている。例えば、光量制限部材４２ｂ〜４４ｂとしては、減光フィルタ（ＮＤフィルタ）を採用することができる。本実施の形態においては、光量制限部材４２ｂ〜４４ｂは、それぞれ、ＬＥＤ４２〜４４の発光強度に応じて光を減衰させる割合（減衰率）を調整可能に構成されている。【００２８】
図２は横軸に波長をとり縦軸に発光量をとって、内視鏡の所定の観察モードに適した照明光を得るために必要な各ＬＥＤの発光量の一例を示すグラフである。図２の曲線Ｔｒ，Ｔｇ，ＴｂはそれぞれＲ−ＬＥＤ４２，Ｇ−ＬＥＤ４３及びＢ−ＬＥＤ４４に必要な発光量を示している。図２に示すように、所定の観察モードに適した照明光を得るために必要な各ＬＥＤの発光量は相互に相違している。【００２９】
また、図３は横軸に波長をとり縦軸に相対感度をとって、光センサ４２ｃ〜４４ｃの分光感度特性を示すグラフである。本実施の形態においては、光センサ４２ｃ〜４４ｃとしては相互に同一特性のものを採用する。図３の実線は分光感度特性を示している。【００３０】
図４Ａ、図４Ｂは各ＬＥＤ４２〜４４の出射光がそれぞれ光センサ４２ｃ〜４４ｃに入射する様子を模式的に示す説明図である。なお、図４Ａ、図４Ｂでは、光量制限部材６２は光量制限部材４２ｂ〜４４ｂを代表して示すものであり、光センサ６４は光センサ４２ｃ〜４４ｃを代表して示すものである。図４Ａにおいて、左端の矢印６１は各ＬＥＤ４２〜４４の出射光を示している。ＬＥＤ４２〜４４の各出射光は光量制限部材４２ｂ〜４４ｂに相当する光量制限部材６２を介して光センサ４２ｃ〜４４ｃに相当する光センサ６４に入射する。右側の細い矢印６３はＬＥＤ４２〜４４の出射光が光量制限部材６２によって減衰して光センサ６４に入射することを示している。【００３１】
なお、図１の例においては、光量制限部材４２ｂ〜４４ｂ及び光センサ４２ｃ〜４４ｃを各ＬＥＤ４２〜４４の近傍に配置する例について説明したが、各ＬＥＤ４２〜４４から各レンズ４２ａ〜４４ａに至る光路上以外の位置で、光センサ４２ｃ〜４４ｃが各ＬＥＤ４２〜４４の出射光量を検出することができる位置であれば、適宜の位置に配置可能である。【００３２】
また、各ＬＥＤ４２〜４４と各光センサ４２ｃ〜４４ｃまでのそれぞれの距離によっても、光の減衰量は変化する。図４Ｂはこの状態を示しており、各ＬＥＤ４２〜４４に相当する光源６５の各出射光は、矢印６１，６３，６６の太さにて示すように、次第に減衰した後光量制限部材４２ｂ〜４４ｂに相当する光量制限部材６２を介して光センサ４２ｃ〜４４ｃに相当する光センサ６４に入射する。光源６５から光センサ６４までの距離が長い程、大きな減衰量で光が減衰して光センサ６４に入射することを示している。【００３３】
なお、各ＬＥＤ４２〜４４の位置及び光軸方向と、光量制限部材４２ｂ〜４４ｂ及び光センサ４２ｃ〜４４ｃの位置及び光の入射面の角度によっても光の減衰量は変化するので、適宜の位置及び角度に設定した状態で、光量制限部材４２ｂ〜４４ｂの特性を制御する。【００３４】
本実施の形態においては、ＬＥＤ４２〜４４からそれぞれの使用最大光量の光が出射された場合において、各光センサ４２ｃ〜４４ｃに、同一光量の光であって、各光センサ４２ｃ〜４４ｃの検出レンジに一致する光が入射するように、光量制限部材４２ｂ〜４４ｂの特性（減衰率）が設定される。【００３５】
いま、光センサ４２ｃ〜４４ｃとして、図３に示す特性を有する光センサを採用した場合には、各Ｒ，Ｇ，Ｂ光に対する各光センサ４２ｃ〜４４ｃの感度は、緑（Ｇ）光を基準（１）とすると、赤（Ｒ）光については０．２であり、青（Ｂ）光については０．６である。【００３６】
図３に示す所定の観察モードに適した各ＬＥＤ４２〜４４の発光量の比（発光比率）が、Ｇ−ＬＥＤ４２の発光量を基準（１）として、０．８対１対０．５であるものとする。この場合には、光量制限部材４２ｂ〜４４ｂは、それぞれ減衰率の比が（ｎ÷０．２÷０．８）対ｎ対（ｎ÷０．６÷０．５）となるように設定する。下記表１はこのような減衰比の関係を示している。【００３７】
［表１］
0005914770.tif 000002
例えば、表１の例では、Ｇ−ＬＥＤ４３からのＧ光を光量制限部材４３ｂによって１／１０００に減衰させる場合には、Ｒ光については、光量制限部材４２ｂによって（１／１０００）×５×５／４＝６．２５／１０００だけ減衰させればよく、Ｂ光については、光量制限部材４４ｂによって（１／１０００）×（５／３）×２＝１／３００だけ減衰させればよい。【００３８】
表１に対応する減衰比の光量制限部材４２ｂ〜４４ｂを採用することにより、図２の特性で各ＬＥＤ４２〜４４を発光させ、図３と同一特性の光センサ４２ｃ〜４４ｃを用いた場合でも、各光センサ４２ｃ〜４４ｃには、各色光の最大入射光量が検知レンジに対応した光が入射することになり、入射光量の検出に利用可能な分解能を共通で且つ最大にすることができ、各光センサ４２ｃ〜４４ｃにおいて、高精度の光量検出が可能である。【００３９】
また、表１では、各光量制限部材４２ｂ〜４４ｂの特性を図２及び図３の特性に対応させて示したが、各光量制限部材４２ｂ〜４４ｂの特性は、各ＬＥＤ４２〜４４の発光比率及び光センサ４２ｃ〜４４ｃのセンサ感度比に応じて設定すればよい。【００４０】
なお、一般的には、効率が最も高いＢ−ＬＥＤ４４に対する光量制限部材４４ｂの減衰率を最も大きくすることが考えられる。また、一般的に光センサ４２ｃ〜４４ｃの特性としては、青（Ｂ）光に対する感度が、緑（Ｇ）光に対する感度よりも低いので、結果的に、Ｇ−ＬＥＤ４３及びＢ−ＬＥＤ４４に対する光量制限部材４３ｂ，４４ｂの特性（減衰率）を同程度にし、Ｒ−ＬＥＤ４２に対する光量制限部材４２ｂの特性（減衰率）を小さくするようにしてもよい。【００４１】
なお、図１の例では、各光センサ４２ｃ〜４４ｃにそれぞれ光量制限部材４２ｂ〜４４ｂを設ける例について説明したが、各光センサ４２ｃ〜４４ｃのいずれか１つ又は２つに光量制限部材を介して光を入射させるようにしても、ある程度の効果が得られることは明らかである。【００４２】
このように本実施の形態においては、各ＬＥＤの光を各光量制限部材を介して各光センサに入射させるようにしており、各光量制限部材の特性を個別に制御することで、各光センサに適宜の光量レベルの光を入射させることができる。これにより、各ＬＥＤの使用最大光量と光センサの検知レンジとを略一致させることが可能である。即ち、ＬＥＤの発光比率及び光センサの特性に拘わらず、各光センサが入射光の光量を同様で且つ最大の分解能で求めることができる。こうして、各光センサによる測光精度を向上させることができ、各ＬＥＤの光量比を、例えば接続された内視鏡に最適なカラーバランスに高精度に制御することができる。【００４３】
なお、上記実施の形態においては、３個のＬＥＤによる３つの発光部を用いた光源の例を説明したが、２個又は４個以上の発光部を有する光源に適用することができることは明らかである。【００４４】
（変形例）
図５乃至図７は本実施の形態の変形例を説明するための説明図である。図５の変形例は、波長カットフィルタを採用した例を示している。各ＬＥＤ４２〜４４と各光センサ４２ｃ〜４４ｃとの間には、それぞれ波長カットフィルタ６７及び光量制限部材６２が設けられる。本変形例においては、図５に示すように、各ＬＥＤ４２〜４４の出射光は、各波長カットフィルタ６７及び各光量制限部材６２を介して各光センサ６４に入射されることになる。なお、図５はＧ光に対応したものであり、光量制限部材６２及び光センサ６４はそれぞれ図１の光量制限部材４３ｂ及び光センサ４３ｃである例を示している。【００４５】
各光センサ４２ｃ〜４４ｃに対してそれぞれ設けられた波長カットフィルタ６７は、各光センサ４２ｃ〜４４ｃに入射する光の波長を制限し、対応する波長の光のみを通過させる。即ち、光センサ４２ｃに対応して設けられた波長カットフィルタ６７は赤（Ｒ）光のみを通過させ、他の色光の通過を阻止する。同様に、光センサ４３ｃに対応して設けられた波長カットフィルタ６７は緑（Ｇ）光のみを通過させ、他の色光の通過を阻止する。同様に、光センサ４４ｃに対応して設けられた波長カットフィルタ６７は青（Ｂ）光のみを通過させ、他の色光の通過を阻止する。【００４６】
比較的狭い範囲に複数のＬＥＤ及び光センサが配置されている場合には、各光センサに検査対象以外のＬＥＤからの漏れ光が入射する虞れがある。各光センサ４２ｃ〜４４ｃが検査対象以外のＬＥＤからの漏れ光を受光した場合には、各光センサ４２ｃ〜４４ｃにおいて、検知対象の各ＬＥＤの光量を正確に検知することは極めて困難となる。【００４７】
そこで、本変形例においては、各光センサ４２ｃ〜４４ｃに対応させて波長カットフィルタ６７を設けており、各光センサ４２ｃ〜４４ｃに検査対象以外のＬＥＤからの漏れ光が入射することを阻止する。これにより、本変形例では、各光センサ４２ｃ〜４４ｃにおいて、検査対象のＬＥＤの発光量を高精度に検知することが可能である。【００４８】
なお、図５では波長カットフィルタと光量制限部材とを組み合わせた例を示したが、光量制限部材４２ｂ〜４４ｂ自体に波長カット特性を持たせるようにしてもよい。【００４９】
図６は光量制限部材として、ピンホール（絞り）部材６８を採用した例を示している。なお、図６はＧ光に対応したものであり、ピンホール部材６８及び光センサ６４はそれぞれ図１の光量制限部材４３ｂ及び光センサ４３ｃである例を示している。ピンホール部材６８は、所定の開口径の開口部６８ａを有する。開口部６８ａの開口径に応じて通過光量は制限される。ＬＥＤ４２〜４４の発光量及び光センサ４２ｃ〜４４ｃの感度特性に基づいて、各光量制限部材４２ｂ〜４４ｂであるピンホール部材の開口径を適宜設定することで、全ての光センサ４２ｃ〜４４ｃにダイナミックレンジに対応したレベルの光を入射させることができ、各ＬＥＤ４２〜４４の出射光量を高精度に検出することが可能である。【００５０】
また、図７は他の変形例を示しており、光量制限部材として、メッシュ部材７１を採用した例を示している。メッシュ部材７１は、適宜の間隔でスリット７１ａが形成されており、スリット７１ａの間隔及びスリットサイズによって、通過光量を制限することができる。この場合にも、ピンホール部材を採用した場合と同様の効果が得られる。【００５１】
（第２の実施の形態）
図８は本発明の第２の実施の形態を説明するための説明図である。本実施の形態は光量制限部材として、ライトガイドを採用したものである。なお、図８は光源装置のうち各ＬＥＤの光量を検出する光学系の構成のみを示している。【００５２】
本実施の形態における光源装置は、光を内視鏡等に出射する光源部８１と３つのセンサ８３Ｒ，８３Ｇ，８３Ｂとを有している。光源部８１には、Ｒ，Ｇ，Ｂ光をそれぞれ出射する３つのＲ−ＬＥＤ８１Ｒ，Ｇ−ＬＥＤ８１Ｇ，Ｂ−ＬＥＤ８１Ｂが設けられている。各ＬＥＤ８１Ｒ，８１Ｇ，８１Ｂの出射光の光軸上にはそれぞれレンズ８３Ｒ，８３Ｇ，８３Ｂが配置されている。各レンズ８３Ｒ，８３Ｇ，８３Ｂは、それぞれＬＥＤ８１Ｒ，８１Ｇ，８１Ｂの出射光を略平行光に変換して出射する。これらのＬＥＤ８１Ｒ，８１Ｇ，８１Ｂの出射光は、第１の実施の形態と同様のダイクロイックフィルタ８４ａ，８４ｂにより構成される光路部によって合成される。この合成光はレンズ８６を介して図示しない内視鏡等に出射させるようになっている。【００５３】
本実施の形態においては、各ＬＥＤ８１Ｒ，８１Ｇ，８１Ｂの近傍には、導光部材であり、且つ光量制限部材でもあるライトガイド８７Ｒ，８７Ｇ，８７Ｂの入射端面がそれぞれ望んでいる。各ＬＥＤ８１Ｒ，８１Ｇ，８１Ｂからの出射光は、各ライトガイド８７Ｒ，８７Ｇ，８７Ｂの入射端面に入射し、それぞれライトガイド８７Ｒ，８７Ｇ，８７Ｂによって伝送されてライトガイド８７Ｒ，８７Ｇ，８７Ｂの出射端に導かれる。【００５４】
ライトガイド８７Ｒ，８７Ｇ，８７Ｂの出射端は、各センサ８２Ｒ，８２Ｇ，８２Ｂの受光面に望んでおり、センサ８２Ｒ，８２Ｇ，８２Ｂは、ライトガイド８７Ｒ，８７Ｇ，８７Ｂによって伝送された光の光量を検出することができる。なお、センサ８２Ｒ，８２Ｇ，８２Ｂとしては、図１の光センサ４２ｃ〜４４ｃと同様の構成のものを採用することができる。【００５５】
なお、図８では、各ライトガイド８７Ｒ，８７Ｇ，８７Ｂの入射端面をそれぞれＬＥＤ８１Ｒ，８１Ｇ，８１Ｂの近傍に配置する例について示したが、ＬＥＤ８１Ｒ，８１Ｇ，８１Ｂから各レンズ８３Ｒ，８３Ｇ，８３Ｂに至る光路上以外の位置で、センサ８２Ｒ，８２Ｇ，８２Ｂにおいて各ＬＥＤ８１Ｒ，８１Ｇ，８１Ｂの出射光量を検出可能な光を供給できる位置であれば、ライトガイド８７Ｒ，８７Ｇ，８７Ｂの入射端面を適宜の位置に配置可能である。【００５６】
本実施の形態においては、ライトガイド８７の本数（径）及びライトガイド８７の長さを変化させることで、ライトガイド８７Ｒ，８７Ｇ，８７Ｂによって伝送する光の減衰量を制御することが可能である。ＬＥＤ８１Ｒ，８１Ｇ，８１Ｂの発光量及びセンサ８２Ｒ，８２Ｇ，８２Ｂの分光感度に応じて、ライトガイド８７Ｒ，８７Ｇ，８７Ｂの径及び長さの少なくとも一方を変更することで、同一特性のセンサ８２Ｒ，８２Ｇ，８２Ｂに略同様の入射光量の光を入射させることが可能である。これにより、各センサ８２Ｒ，８２Ｇ，８２Ｂを同様の分解能で動作させることができ、各ＬＥＤ８１Ｒ，８１Ｇ，８１Ｂの出射光量を高精度に検出することが可能である。【００５７】
なお、本実施の形態においては、ＬＥＤ８１Ｒ，８１Ｇ，８１Ｂの出射光をライトガイド８７Ｒ，８７Ｇ，８７Ｂによってセンサ８２Ｒ，８２Ｇ，８２Ｂに導くようになっていることから、センサ８２Ｒ，８２Ｇ，８２Ｂの配置の自由度が高いという利点がある。例えば、ライトガイド８７Ｒ，８７Ｇ，８７Ｂによって各ＬＥＤ８１Ｒ，８１Ｇ，８１Ｂからの光を図示しない基板上に搭載されたセンサ８２Ｒ，８２Ｇ，８２Ｂまで導くことも可能である。【００５８】
また、本実施の形態においては、導光部材の一例としてライトガイドを用いて説明したが、導光部材はライトガイドに限定されるものではない。例えば、導光部材としては、ロッドレンズなど、光を入射端から出射端へ伝送する機能を果たし、伝達経路での光の伝達特性が調整可能であればよい。【００５９】
（第３の実施の形態）
図９は本発明の第３の実施の形態を説明するための説明図である。本実施の形態はセンサとしてカラーセンサを用いた例を示している。図９において図８と同一の構成要素には同一符号を付して説明を省略する。【００６０】
本実施の形態は、図８の３つのセンサ８２Ｒ，８２Ｇ，８２Ｂに代えて１つのカラーセンサ９０を採用した点が第２の実施の形態と異なるのみである。カラーセンサ９０としては、例えば、赤、緑、青用の３つ受光部を有するものを採用することができるが、これに限定されるものではない。【００６１】
ＬＥＤ８１Ｒ，８１Ｇ，８１Ｂからの出射光を導くライトガイド８７Ｒ，８７Ｇ，８７Ｂの各出射面は、カラーセンサ９０の３つの受光部の各入射面に望んでいる。カラーセンサ９０は、Ｒ，Ｇ，Ｂ光の各受光部に入射したＲ，Ｇ，Ｂ光の光量を求めることができるようになっている。【００６２】
本実施の形態においても、ライトガイド８７Ｒ，８７Ｇ，８７Ｂの径及び長さを、ＬＥＤ８１Ｒ，８１Ｇ，８１Ｂの発光量及びカラーセンサ９０のＲ，Ｇ，Ｂ受光部の感度特性に応じて、適宜設定することによって、カラーセンサ９０のＲ，Ｇ，Ｂ光に対する分解能を同程度で且つ最大にすることができる。これにより、カラーセンサ９０は、ＬＥＤ８１Ｒ，８１Ｇ，８１Ｂの発光量を、高精度に検出することが可能である。【００６３】
他の構成、作用及び効果は、第２の実施の形態と同様である。【００６４】
（第４の実施の形態）
図１０は本発明の第４の実施の形態を説明するための説明図である。図１０において図９と同一の構成要素には同一符号を付して説明を省略する。本実施の形態はセンサとしてカラーセンサを用いると共に、５色の色光を発生するＬＥＤを採用した例を示している。【００６５】
本実施の形態はＲ，Ｇ，Ｂ光を出射する３つのＬＥＤ８１Ｒ，８１Ｇ，８１Ｂの他にアンバー光を出射するＡ−ＬＥＤ８１Ａ及びバイオレット光を出射するＶ−ＬＥＤ８１Ｖを加えた５つのＬＥＤ８１Ｒ，８１Ｇ，８１Ｂ，８１Ａ，８１Ｖを有する光源部９３に適用した例である。【００６６】
各ＬＥＤ８１Ｒ，８１Ｇ，８１Ｂ，８１Ａ，８１Ｖの出射光の光軸上にはそれぞれレンズ８３Ｒ，８３Ｇ，８３Ｂ，８３Ａ，８３Ｖが配置されている。各レンズ８３Ｒ，８３Ｇ，８３Ｂ，８３Ａ，８３Ｖは、それぞれＬＥＤ８１Ｒ，８１Ｇ，８１Ｂ，８１Ａ，８１Ｖの出射光を略平行光に変換して出射する。これらのＬＥＤ８１Ｒ，８１Ｇ，８１Ｂ，８１Ａ，８１Ｖの出射光は、ダイクロイックフィルタ８４ａ〜８４ｄにより構成される光路部によって合成される。この合成光はレンズ８６を介して図示しない内視鏡等に出射させるようになっている。【００６７】
本実施の形態においても、各ＬＥＤ８１Ｒ，８１Ｇ，８１Ｂ，８１Ａ，８１Ｖの近傍には、光量制限部材であるライトガイド８７Ｒ，８７Ｇ，８７Ｂ，８７Ａ，８７Ｖの入射端面が望んでいる。更に、本実施の形態においては、ＬＥＤ８１Ｇの近傍には光量制限部材であるライトガイド８７Ｇ２の入射端面も望んでいる。【００６８】
なお、本実施の形態においても、ライトガイド８７Ｒ，８７Ｇ，８７Ｂ，８７Ａ，８７Ｖ，８７Ｇ２の入射端面を、各ＬＥＤから各レンズに至る光路上以外の位置で、各ＬＥＤの出射光量を検出することができるいずれの位置に配置してもよい。【００６９】
本実施の形態においては、５つのＬＥＤ８１Ｒ，８１Ｇ，８１Ｂ，８１Ａ，８１Ｖからの出射光を２つのカラーセンサ９０，９１によって検出する。カラーセンサ９０，９１は、紫（Ｖ）と青（Ｂ）については、区別無く青色として計測し、アンバー（Ａ）と赤（Ｒ）についても区別無く赤として検出する。そこで、一方のカラーセンサ９０に、ライトガイド８７Ｒ，８７Ｇ，８７Ｂを介してＲ，Ｇ，Ｂ光を入射させると共に、他方のセンサ９１に、ライトガイド８７Ａ，８７Ｇ２，８７Ｖを介してＡ，Ｇ，Ｖ光を入射させる。この場合において、ライトガイド８７Ｇ，８７Ｇ２はＬＥＤ８１Ｇから略同一の光量のＧ光を伝送する。従って、カラーセンサ９０，９１に入射されるＧ光を基準とすることで、各センサの出力からＬＥＤ８１Ｒ，８１Ｇ，８１Ｂ，８１Ａ，８１Ｖが出射したＲ，Ｇ，Ｂ，Ａ，Ｖ光の光量を求めることができる。【００７０】
本実施の形態においても、ライトガイド８７Ｒ，８７Ｇ，８７Ｂ，８７Ａ，８７Ｖ，８７Ｇ２の径及び長さを、ＬＥＤ８１Ｒ，８１Ｇ，８１Ｂ，８１Ａ，８１Ｖの発光量及びカラーセンサ９０，９１のＲ，Ｇ，Ｂ受光部の感度特性に応じて、適宜設定することによって、カラーセンサ９０，９１のＲ，Ｇ，Ｂ光に対する分解能を同程度にすることができる。これにより、カラーセンサ９０，９１は、ＬＥＤ８１Ｒ，８１Ｇ，８１Ｂ，８１Ａ，８１Ｖの発光量を、高精度に検出することが可能である。【００７１】
このように、本実施の形態においても、上記各実施の形態と同様の効果を得ることができる。更に、本実施の形態においては、２個のカラーセンサを用いて、５色のＬＥＤの発光量を高精度に求めることが可能である。【００７２】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。【００７３】
本出願は、２０１４年４月１７日に日本国に出願された特願２０１４−８５８１８号を優先権主張の基礎として出願するものであり、上記の開示内容は、本願明細書、請求の範囲に引用されるものとする。
【図１】
0005914770.tif 000003
【図２】
0005914770.tif 000004
【図３】
0005914770.tif 000005
【図４Ａ】
0005914770.tif 000006
【図４Ｂ】
0005914770.tif 000007
【図５】
0005914770.tif 000008
【図６】
0005914770.tif 000009
【図７】
0005914770.tif 000010
【図８】
0005914770.tif 000011
【図９】
0005914770.tif 000012
【図１０】
0005914770.tif 000013